(57)【要約】      （修正有）【課題】効率よく洗浄することができると共に狭い箇所の洗浄も可能な手袋を提供する。【解決手段】手袋本体部１１と、手袋本体部に設けられた洗浄部１２とを有する手袋１０において、手袋本体部の各指部の表面部１３ａ〜１３ｅ、側面部１４ａ〜１４ｅ、及び背面部の全域に亘って指部洗浄部１６が設けられている。【選択図】図１
0003209498.tif 000002
【実用新案登録請求の範囲】
【請求項１】
手袋本体部と、前記手袋本体部に設けられた洗浄部とを有する手袋において、前記手袋本体部の各指部の表面部、側面部及び背面部の全域に亘って形成された指部洗浄部を有することを特徴とする手袋。
【請求項２】
前記手袋本体部の掌部には掌部全域に亘って、さらに掌部洗浄部が設けられていることを特徴とする請求項１記載の手袋。
【請求項３】
前記指部洗浄部及び前記掌部洗浄部は一体に形成されていることを特徴とする請求項１及び２記載の手袋。
【請求項４】
前記洗浄部は、スポンジ又は不織布であることを特徴とする請求項１〜３のいずれか一項記載の手袋。
【請求項５】
前記手袋はゴム製であることを特徴とする請求項１〜４のいずれか一項記載の手袋。
【考案の詳細な説明】
【技術分野】
【０００１】
本考案は、洗浄部を備えた手袋に関するものである。
【背景技術】
【０００２】
これまで、食器類の洗浄には、素手で洗浄具を持ちながら作業をすることが一般的であったため、手荒れの原因や、ネイルが剥がれてしまうといった問題点があった。また、これらの原因を解消するために、ゴム手袋をして作業を行うこともあるが、ゴム手袋をしたまま洗浄具を持つと作業性が悪いだけでなく、洗い加減も分かりにくいため食器類を落としてしまうといった事態も生じていた。
【０００３】
従って、このような観点から、作業性のよい食器類の洗浄用の手袋が数多く提案されている。例えば、特許文献１及び２には、水を通さない素材で形成された手袋の掌部分及び掌側の各指の先端部分まで洗浄具を設けたことを特徴とする洗浄具付き手袋が開示されている。また、特許文献２には、スポンジ、たわし等で作製された指サック型の洗浄具も開示されている。
【０００４】
特許文献３及び４には、手袋本体の掌部及び各指腹部に洗浄部を配設し、さらに各指腹部分の洗浄部を指先まで伸長させ、夫々の指先を被覆するように形成された手袋が開示されている。
【０００５】
しかしながら、特許文献１〜４をはじめとした従来の手袋は、洗浄部が掌部にのみに形成されているか、又は掌部から指先部までを、あるいは掌部から指先部を被覆するように形成されているものが多い。従って、このような手袋では、例えば、食器類の表裏面や縁を一度に効率よく洗浄したり、お風呂場の床の隅等の狭い箇所を洗浄することはできなかった。
【先行技術文献】
【特許文献】
【０００６】
【特許文献１】特開２０１２−３５０１６号公報
【特許文献２】実登３０６０２３２号公報
【特許文献３】実開平５−７４４５５号公報
【特許文献４】実開平３−１３９４９号公報
【考案の概要】
【考案が解決しようとする課題】
【０００７】
本考案の課題は、効率よく洗浄することができると共に狭い箇所の洗浄も可能な手袋を提供することである。
【課題を解決するための手段】
【０００８】
前記課題達成のため、請求項１記載の考案にあっては、手袋本体部と、前記手袋本体部に設けられた洗浄部とを有する手袋において、前記手袋本体部の各指部の表面部、側面部及び背面部の全域に亘って形成された指部洗浄部を有することを特徴とする。
【０００９】
従って、使用者が前記手袋を使用した場合には、前記手袋本体部の各指部の表面部、側面部及び背面部の全域に亘って形成された前記指部洗浄部を洗浄部として使用することができる。
【００１０】
請求項２記載の考案にあっては、前記手袋本体部の掌部には掌部全域に亘って、さらに掌部洗浄部が設けられていることを特徴とする。
【００１１】
従って、使用者が前記手袋を使用した場合には、掌部全域に亘って設けられた前記掌部洗浄部を洗浄部として使用することができる。
【００１２】
請求項３記載の考案にあっては、前記指部洗浄部及び前記掌部洗浄部は一体に形成されていることを特徴とする。
【００１３】
請求項４記載の考案にあっては、前記洗浄部は、スポンジ又は不織布であることを特徴とする。
【００１４】
請求項５記載の考案にあっては、前記手袋はゴム製であることを特徴とする。
【考案の効果】
【００１５】
請求項１記載の手袋にあっては、使用者が前記手袋を使用した場合には、前記手袋本体部の各指部の表面部、側面部及び背面部の全域に亘って形成された前記指部洗浄部を洗浄部として使用することができる。
従って、前記指部洗浄部によって、例えば、食器類の表裏面や縁を一度に効率よく洗浄したり、お風呂場の床の隅等の狭い箇所を洗浄したりすることができる。
その結果、効率よく洗浄することができると共に狭い箇所の洗浄も可能な手袋を提供することができる。
【００１６】
請求項２記載の手袋にあっては、使用者が前記手袋を使用した場合には、掌部全域に亘って設けられた前記掌部洗浄部を洗浄部として使用することができる。その結果、前記掌部洗浄部によって、食器類の表裏面を効率よく洗浄することができる。
【００１７】
請求項３記載の手袋にあっては、前記指部洗浄部及び前記掌部洗浄部が一体に形成されているので、少ない部品数で製造ができ、製造コストも削減することができる。
【００１８】
請求項４記載の手袋にあっては、前記洗浄部がスポンジ又は不織布であることから、前記洗浄部に洗剤を含ませて使用することができると共に、前記洗浄部を濯ぐことで前記手袋を繰り返し使用することができる。
【００１９】
請求項５記載の手袋にあっては、前記手袋はゴム製であることから、洗浄中に水分や汚れが手に直接付着することを防ぐことができる。
【図面の簡単な説明】
【００２０】
【図１】図１は、本考案の一実施の形態に係る手袋において、掌側を示す斜視図である。
【図２】図２は、本考案の一実施の形態に係る手袋において、手の甲側を示す斜視図である。
【図３】図３は、本考案の一実施の形態に係る手袋において、中指に相当する指部洗浄部の、図１におけるＩＩ−ＩＩ線相当断面図である。
【考案を実施するための最良の形態】
【００２１】
以下、添付図面に示す実施の形態に基づき、本発明を詳細に説明する。
図１〜図３に示すように、本考案の一実施の形態に係る手袋１０は、ゴム製の手袋本体部１１と、手袋本体部１１に設けられたスポンジ製の洗浄部１２とを有している。
【００２２】
また、図１〜図３に示すように、本実施の形態に係る手袋１０は、手袋本体部１１の親指、人差し指、中指、薬指、小指に夫々相当する各指部の表面部（掌側）１３ａ、１３ｂ、１３ｃ、１３ｄ、１３ｅ、側面部１４ａ、１４ａ、１４ｂ、１４ｂ、１４ｃ、１４ｃ、１４ｄ、１４ｄ、１４ｅ、１４ｅ及び背面部（手の甲側）１５ａ、１５ｂ、１５ｃ、１５ｄ、１５ｅの全域に亘って形成された指部洗浄部１６を備えている。
【００２３】
図１及び図２に示すように、本実施の形態に係る手袋本体部１１の掌部１７には掌部全域に亘って、さらに掌部洗浄部１８が設けられている。
図１及び図２に示すように、本実施の形態に係る指部洗浄部１６及び掌部洗浄部１８は一体に形成されている。
【００２４】
また、図１及び図２に示すように、本実施の形態に係る手袋本体部１１の基端部１９には、使用者の手に装着するための開口部２０が設けられている。
図１及び図２に示すように、本実施の形態に係る開口部２０の背面側の略中央には、環状の紐により構成された吊下部材２１が設けられている。
【００２５】
以下、本実施の形態に係る手袋１０の作用について説明する。
本実施の形態に係る手袋１０を使用する場合には、使用者が開口部２０から手を挿入し、手袋１０を装着する。
この際、図１〜図３に示すように、使用者が手袋１０を装着した場合には、手袋本体部１１の各指部の表面部１３ａ、１３ｂ、１３ｃ、１３ｄ、１３ｅ、側面部１４ａ、１４ａ、１４ｂ、１４ｂ、１４ｃ、１４ｃ、１４ｄ、１４ｄ、１４ｅ、１４ｅ及び背面部１５ａ、１５ｂ、１５ｃ、１５ｄ、１５ｅの全域に亘って形成された指部洗浄部１６を洗浄部１２として使用することができる。
従って、指部洗浄部１６によって、食器類の表裏面や縁を一度に効率よく洗浄したり、お風呂場の床の隅等の狭い箇所を洗浄したりすることができる。
その結果、効率よく洗浄することができると共に狭い箇所の洗浄も可能な手袋を提供することができる。
【００２６】
また、図１及び図２に示すように、本実施の形態に係る手袋１０にあっては、使用者が手袋１０を使用した場合には、掌部１７全域に亘って設けられた掌部洗浄部１８を洗浄部１２として使用することができる。その結果、掌部洗浄部１８によって、食器類の表裏面を効率よく洗浄することができる。
【００２７】
また、図１及び図２に示すように、本実施の形態に係る手袋１０にあっては、指部洗浄部１６及び掌部洗浄部１８が一体に形成されているので、少ない部品数で製造ができ、製造コストも削減することができる。
【００２８】
また、図１〜図３に示すように、本実施の形態に係る手袋１０にあっては、洗浄部１２がスポンジであることから、洗浄部１２に洗剤を含ませて使用することができると共に、洗浄部１２を濯ぐことで手袋１０を繰り返し使用することができる。
【００２９】
また、図１及び図２に示すように、本実施の形態に係る手袋１０にあっては、ゴム製であることから、洗浄中に水分や汚れが手に直接付着することを防ぐことができる。
【００３０】
また、図１及び図２に示すように、本実施の形態に係る手袋本体部１１には、環状の紐により構成された吊下部材２１が設けられていることから、吊下部材２１を介してフック等に手袋１０を吊り下げて、洗浄又は濯ぎ後の手袋１０を干すことができる。
従って、スポンジにより構成された洗浄部１２を乾燥させることができ、その結果、洗浄部１２にカビ等が発生することを防止することができる。
【００３１】
本実施の形態に係る洗浄部１２にあっては、スポンジにより構成されている場合を例に説明したが、前記構成に限定されるものではない。
【産業上の利用可能性】
【００３２】
本考案は、手袋として幅広い用途に使用できることから、産業上利用可能性を有している。
【符号の説明】
【００３３】
１０：手袋
１１：手袋本体部
１２：洗浄部
１３ａ、１３ｂ、１３ｃ、１３ｄ、１３ｅ：各指部の表面部
１４ａ、１４ｂ、１４ｃ、１４ｄ、１４ｅ：各指部の側面部
１５ａ、１５ｂ、１５ｃ、１５ｄ、１５ｅ：各指部の背面部
１６：指部洗浄部
１７：掌部
１８：掌部洗浄部
１９：基端部
２０：開口部
２１：吊下部材
【図１】
0003209498.tif 000003
【図２】
0003209498.tif 000004
【図３】
0003209498.tif 000005
【手続補正書】
【提出日】平成29年1月19日(2017.1.19)
【手続補正１】
【補正対象書類名】実用新案登録請求の範囲
【補正対象項目名】請求項３
【補正方法】変更
【補正の内容】
【請求項３】
前記指部洗浄部及び前記掌部洗浄部は一体に形成されていることを特徴とする請求項２記載の手袋。